(57)【要約】【課題】  本発明は、ディスプレイ装置、ディスプレイ装置の駆動回路及びディスプレイ装置の駆動方法に関し、例えば有機ＥＬ素子によるディスプレイ装置に適用して、発光素子を駆動するトランジスタのしきい値電圧を補正するようにして、面ザラ、黒浮き、コントラストの劣化を防止する。【解決手段】  本発明は、ソースフォロワ回路構成により発光素子１２を電流駆動するトランジスタＴＲ２に対して、このトランジスタＴＲ２のゲートソース間に設けられた信号レベル保持用のコンデンサＣｓ２にトランジスタＴＲ２のしきい値電圧を設定した後、信号線ＳＩＧの信号レベルを設定することにより、トランジスタＴＲ２のばらつきを補正して階調を設定する構成において、カップリング用のコンデンサＣｓ１に接続する基準電圧Ｖｏｆによって階調を低下させるように信号レベル保持用のコンデンサＣｓ２の端子間電圧をオフセットさせ、又は黒レベルだけ階調が低下する方向にオフセットさせて信号線への駆動信号を生成する。【選択図】        図１
2005189382.tif 000002
【特許請求の範囲】
【請求項１】
電流駆動による画素をマトリックス状に配置してなる画素部と、前記画素部を駆動する駆動回路とを有するディスプレイ装置において、
前記画素は、
発光素子と、
ゲートソース間に信号レベル保持用のコンデンサを保持し、前記信号レベル保持用のコンデンサの端子間電圧によるゲートソース間電圧により前記発光素子を駆動するソースフォロワ回路によるトランジスタと、
一端を前記トランジスタのゲートに接続したカップリング用のコンデンサと、
前記カップリング用のコンデンサの他端を信号線に接続する信号線用のスイッチ回路と、
前記トランジスタのゲートドレインを短絡させる短絡用のスイッチ回路と、
前記カップリング用のコンデンサの前記他端をコンデンサ側の基準電圧に接続するコンデンサ側基準電圧用のスイッチ回路と、
前記トランジスタへの電源の供給を停止する電源用のスイッチ回路とを有し、
前記駆動回路は、
前記信号線用のスイッチ回路の駆動により、前記カップリング用のコンデンサを介して前記信号線の信号レベルにより前記信号レベル保持用のコンデンサの端子電圧を設定することにより、前記発光素子の駆動に供する前記トランジスタのゲートソース間電圧を設定し、
前記信号レベル保持用のコンデンサの前記端子電圧の設定において、
前記コンデンサ側基準電圧用のスイッチ回路、前記短絡用のスイッチ回路をオン状態に設定すると共に、前記電源用のスイッチ回路をオフ状態に設定することにより、前記信号レベル保持用のコンデンサの端子間電圧を前記トランジスタのしきい値電圧に設定し、
前記コンデンサ側基準電圧用のスイッチ回路、前記短絡用のスイッチ回路をオフ状態に設定した後、前記信号線用のスイッチ回路をオン状態に設定し、前記信号線の信号レベルにより、前記信号レベル保持用のコンデンサの端子電圧を設定し、
前記コンデンサ側の基準電圧が、前記信号線の信号レベルにより設定される前記信号レベル保持用のコンデンサの端子電圧を、階調が低下する側にオフセットさせる電圧である
ことを特徴とするディスプレイ装置。
【請求項２】
前記駆動回路は、
黒レベル以外の階調において、前記黒レベルの階調に対応する各階調の信号レベルを、前記コンデンサ側の基準電圧の分、階調を増大させる側にオフセットさせて前記信号線の駆動信号を生成する
ことを特徴とする請求項１に記載のディスプレイ装置。
【請求項３】
前記画素は、
前記トランジスタのソースをソース側の基準電圧に接続するソース側基準電圧用のスイッチ回路を有し、
前記駆動回路は、
少なくとも前記信号線用のスイッチ回路をオン状態に設定している期間の間、前記ソース側基準電圧用のスイッチ回路をオン状態に設定して前記トランジスタのソースを前記ソース側の基準電圧に保持する
ことを特徴とする請求項１に記載のディスプレイ装置。
【請求項４】
前記トランジスタ、前記各スイッチ回路がｎチャンネルＭＯＳ型のトランジスタにより形成された
ことを特徴とする請求項１に記載のディスプレイ装置。
【請求項５】
電流駆動による画素をマトリックス状に配置してなるディスプレイ装置において、
前記画素は、
発光素子と、
ゲートソース間に信号レベル保持用のコンデンサを保持し、信号線の信号レベルにより設定された前記信号レベル保持用のコンデンサの端子間電圧によるゲートソース間電圧により前記発光素子を駆動するソースフォロワ回路によるトランジスタと、
一端を前記トランジスタのゲートに接続したカップリング用のコンデンサと、
前記カップリング用のコンデンサの他端をコンデンサ側の基準電圧に接続した後、前記信号レベル保持用のコンデンサの端子間電圧がほぼ前記トランジスタのしきい値電圧となった時点でオフ状態に切り換わって、前記カップリング用のコンデンサの他端を前記コンデンサ側の基準電圧より切り離すコンデンサ側基準電圧用のスイッチ回路と、
前記ソース側基準電圧用のスイッチ回路と連動してオン状態に切り換わり、前記トランジスタのゲートドレインを短絡させる短絡用のスイッチ回路と、
前記コンデンサ側基準電圧用のスイッチ回路のオン動作に応動して、前記トランジスタへの電源の供給を停止することにより、前記コンデンサ側基準電圧用のスイッチ回路、前記短絡用のスイッチ回路がオフ動作するまでの間、前記信号レベル保持用のコンデンサの端子間電圧を低下させて前記トランジスタのゲートソース間電圧に設定した後、前記信号線の信号レベルによる前記信号レベル保持用のコンデンサの端子間電圧の設定により、前記トランジスタへの電源の供給を開始する電源用のスイッチ回路と、
前記コンデンサ側基準電圧用のスイッチ回路のオフ動作の後に、前記カップリング用のコンデンサの他端を信号線に接続し、前記カップリング用のコンデンサを介して前記信号レベル保持用のコンデンサの端子電圧を前記信号線の信号レベルにより設定することにより、前記信号線の信号レベルにより前記信号レベル保持用のコンデンサの端子間電圧を設定する信号線用のスイッチ回路とを備え、
前記コンデンサ側の基準電圧が、前記信号線の信号レベルにより設定される前記信号レベル保持用のコンデンサの端子電圧を階調が低下する側にオフセットさせる電圧である
ことを特徴とするディスプレイ装置。
【請求項６】
有機ＥＬ素子による画素をマトリックス状に配置してなるディスプレイ装置において、
前記有機ＥＬ素子と、
ゲートソース間に信号レベル保持用のコンデンサを保持し、信号線の信号レベルにより設定された前記信号レベル保持用のコンデンサの端子間電圧によるゲートソース間電圧により前記有機ＥＬ素子を駆動するソースフォロワ回路によるトランジスタと、
一端を前記トランジスタのゲートに接続したカップリング用のコンデンサと、
前記カップリング用のコンデンサの他端をコンデンサ側の基準電圧に接続した後、前記信号レベル保持用のコンデンサの端子間電圧がほぼ前記トランジスタのしきい値電圧となった時点でオフ状態に切り換わって、前記カップリング用のコンデンサの他端を前記コンデンサ側の基準電圧より切り離すコンデンサ側基準電圧用のスイッチ回路と、
前記ソース側基準電圧用のスイッチ回路と連動してオン状態に切り換わり、前記トランジスタのゲートドレインを短絡させる短絡用のスイッチ回路と、
前記コンデンサ側基準電圧用のスイッチ回路のオン動作に応動して、前記トランジスタへの電源の供給を停止することにより、前記コンデンサ側基準電圧用のスイッチ回路、前記短絡用のスイッチ回路がオフ動作するまでの間、前記信号レベル保持用のコンデンサの端子間電圧を低下させて前記トランジスタのゲートソース間電圧に設定した後、前記信号線の信号レベルによる前記信号レベル保持用のコンデンサの端子間電圧の設定により、前記トランジスタへの電源の供給を開始する電源用のスイッチ回路と、
前記コンデンサ側基準電圧用のスイッチ回路のオフ動作の後に、前記カップリング用のコンデンサの他端を信号線に接続し、前記カップリング用のコンデンサを介して前記信号レベル保持用のコンデンサの端子電圧を前記信号線の信号レベルにより設定することにより、前記信号線の信号レベルにより前記信号レベル保持用のコンデンサの端子間電圧を設定する信号線用のスイッチ回路とを備え、
前記コンデンサ側の基準電圧が、前記信号線の信号レベルにより設定される前記信号レベル保持用のコンデンサの端子電圧を階調が低下する側にオフセットさせる電圧である
ことを特徴とするディスプレイ装置。
【請求項７】
電流駆動による画素をマトリックス状に配置してなるディスプレイ装置の駆動回路において、
前記画素は、
発光素子と、
ゲートソース間に信号レベル保持用のコンデンサを保持し、前記信号レベル保持用のコンデンサの端子間電圧によるゲートソース間電圧により前記発光素子を駆動するソースフォロワ回路によるトランジスタと、
一端を前記トランジスタのゲートに接続したカップリング用のコンデンサと、
前記カップリング用のコンデンサの他端を信号線に接続する信号線用のスイッチ回路と、
前記トランジスタのゲートドレインを短絡させる短絡用のスイッチ回路と、
前記カップリング用のコンデンサの前記他端をコンデンサ側の基準電圧に接続するコンデンサ側基準電圧用のスイッチ回路と、
前記トランジスタへの電源の供給を停止する電源用のスイッチ回路とを有し、
前記信号線用のスイッチ回路の駆動により、前記カップリング用のコンデンサを介して前記信号線の信号レベルにより前記信号レベル保持用のコンデンサの端子電圧を設定することにより、前記発光素子の駆動に供する前記トランジスタのゲートソース間電圧を設定し、
前記信号レベル保持用のコンデンサの前記端子電圧の設定において、
前記コンデンサ側基準電圧用のスイッチ回路、前記短絡用のスイッチ回路をオン状態に設定すると共に、前記電源用のスイッチ回路をオフ状態に設定することにより、前記信号レベル保持用のコンデンサの端子間電圧を前記トランジスタのしきい値電圧に設定し、
前記コンデンサ側基準電圧用のスイッチ回路、前記短絡用のスイッチ回路をオフ状態に設定した後、前記信号線用のスイッチ回路をオン状態に設定し、前記信号線の信号レベルにより、前記信号レベル保持用のコンデンサの端子電圧を設定し、
前記コンデンサ側の基準電圧が、前記信号線の信号レベルにより設定される前記信号レベル保持用のコンデンサの端子電圧を、階調が低下する側にオフセットさせる電圧であり、
前記ディスプレイ装置の駆動回路は、
黒レベル以外の階調において、前記黒レベルの階調に対応する各階調の信号レベルを、前記コンデンサ側の基準電圧の分、階調を増大させる側にオフセットさせて前記信号線の駆動信号を生成する
ことを特徴とするディスプレイ装置の駆動回路。
【請求項８】
電流駆動による画素をマトリックス状に配置してなるディスプレイ装置の駆動回路において、
前記画素が、
発光素子と、
ゲートソース間に信号レベル保持用のコンデンサを保持し、前記信号レベル保持用のコンデンサの端子間電圧によるゲートソース間電圧により前記発光素子を駆動するソースフォロワ回路によるトランジスタと、
一端を前記トランジスタのゲートに接続したカップリング用のコンデンサと、
前記カップリング用のコンデンサの他端を信号線に接続する信号線用のスイッチ回路と、
前記トランジスタのゲートドレインを短絡させる短絡用のスイッチ回路と、
前記カップリング用のコンデンサの前記他端をコンデンサ側の基準電圧に接続するコンデンサ側基準電圧用のスイッチ回路と、
前記トランジスタへの電源の供給を停止する電源用のスイッチ回路とを有し、
前記信号線用のスイッチ回路の駆動により、前記カップリング用のコンデンサを介して前記信号線の信号レベルにより前記信号レベル保持用のコンデンサの端子電圧を設定することにより、前記発光素子の駆動に供する前記トランジスタのゲートソース間電圧を設定し、
前記信号レベル保持用のコンデンサの前記端子電圧の設定において、
前記コンデンサ側基準電圧用のスイッチ回路、前記短絡用のスイッチ回路をオン状態に設定すると共に、前記電源用のスイッチ回路をオフ状態に設定することにより、前記信号レベル保持用のコンデンサの端子間電圧を前記トランジスタのしきい値電圧に設定し、
前記コンデンサ側基準電圧用のスイッチ回路、前記短絡用のスイッチ回路をオフ状態に設定した後、前記信号線用のスイッチ回路をオン状態に設定し、前記信号線の信号レベルにより、前記信号レベル保持用のコンデンサの端子電圧を設定し、
前記ディスプレイ装置の駆動回路は、
黒レベルの階調において、前記黒レベル以外の階調に対応する信号レベルを、階調を低減させる側にオフセットさせて前記信号線の駆動信号を生成する
ことを特徴とするディスプレイ装置の駆動回路。
【請求項９】
電流駆動による画素をマトリックス状に配置してなるディスプレイ装置の駆動方法において、
前記画素は、
発光素子と、
ゲートソース間に信号レベル保持用のコンデンサを保持し、前記信号レベル保持用のコンデンサの端子間電圧によるゲートソース間電圧により前記発光素子を駆動するソースフォロワ回路によるトランジスタと、
一端を前記トランジスタのゲートに接続したカップリング用のコンデンサと、
前記カップリング用のコンデンサの他端を信号線に接続する信号線用のスイッチ回路と、
前記トランジスタのゲートドレインを短絡させる短絡用のスイッチ回路と、
前記カップリング用のコンデンサの前記他端をコンデンサ側の基準電圧に接続するコンデンサ側基準電圧用のスイッチ回路と、
前記トランジスタへの電源の供給を停止する電源用のスイッチ回路とを有し、
前記ディスプレイ装置の駆動方法は、
前記信号線用のスイッチ回路の駆動により、前記カップリング用のコンデンサを介して前記信号線の信号レベルにより前記信号レベル保持用のコンデンサの端子電圧を設定することにより、前記発光素子の駆動に供する前記トランジスタのゲートソース間電圧を設定し、
前記信号レベル保持用のコンデンサの前記端子電圧の設定において、
前記コンデンサ側基準電圧用のスイッチ回路、前記短絡用のスイッチ回路をオン状態に設定すると共に、前記電源用のスイッチ回路をオフ状態に設定することにより、前記信号レベル保持用のコンデンサの端子間電圧を前記トランジスタのしきい値電圧に設定し、
前記コンデンサ側基準電圧用のスイッチ回路、前記短絡用のスイッチ回路をオフ状態に設定した後、前記信号線用のスイッチ回路をオン状態に設定し、前記信号線の信号レベルにより、前記信号レベル保持用のコンデンサの端子電圧を設定し、
前記コンデンサ側の基準電圧が、前記信号線の信号レベルにより設定される前記信号レベル保持用のコンデンサの端子電圧を、階調が低下する側にオフセットさせる電圧である
ことを特徴とするディスプレイ装置の駆動方法。
【発明の詳細な説明】
【技術分野】
【０００１】
本発明は、ディスプレイ装置、ディスプレイ装置の駆動回路及びディスプレイ装置の駆動方法に関し、例えば有機ＥＬ（Electro Luminescence）素子によるディスプレイ装置に適用することができる。本発明は、ソースフォロワ回路構成により発光素子を電流駆動するトランジスタに対して、このトランジスタのゲートソース間に設けられた信号レベル保持用のコンデンサにトランジスタのしきい値電圧を設定した後、信号線の信号レベルを設定することにより、トランジスタのばらつきを補正して階調を設定する構成において、カプリング用のコンデンサに接続する基準電圧によって階調を低下させるように信号レベル保持用のコンデンサの端子間電圧をオフセットさせることにより、また黒レベルだけ階調が低下する方向にオフセットさせて信号線への駆動信号を生成することにより、発光素子を駆動するトランジスタのしきい値電圧を補正するようにして、面ザラ、黒浮き、コントラストの劣化を防止する。
【背景技術】
【０００２】
従来、有機ＥＬの表示装置においては、例えばＵＳＰ５，６８４，３６５、特開平８−２３４６８３号公報等にディスプレイ装置への応用が種々に提案されるようになされている。
【０００３】
すなわち図１１に示すように、この種のディスプレイ装置１において、画素部２は、マトリックス状に配置されてなる画素（ＰＸ）３に対して、走査線ＳＣＮがライン単位で水平方向に設けられ、またこの走査線ＳＣＮと直交するように信号線ＳＩＧが各列毎に垂直方向に設けられる。このようにして形成されてなる画素部２に対して、ディスプレイ装置１は、垂直駆動回路４により走査線ＳＣＮを駆動して順次ライン単位で画素部２の画素３を選択すると共に、この画素３の選択に対応するように水平駆動回路５により信号線ＳＩＧを駆動して各画素３の階調を設定するようになされている。
【０００４】
このため垂直駆動回路４は、ライトスキャン回路（ＷＳＣＮ）４Ａにより、各画素３への書き込みをライン単位で順次指示する書き込み信号ｗｓを生成し、この書き込み信号ｗｓを走査線ＳＣＮに出力して各画素３における階調の設定を制御するようになされている。また水平駆動回路５は、各画素３の階調を指示する階調データＤ１に応じて駆動信号を生成し、この駆動信号を水平セレクタ（ＨＳＥＬ）５Ａにより各信号線ＳＩＧに振り分けて出力し、これらによりディスプレイ装置１は、ライン単位で各画素３の階調を設定するようになされている。
【０００５】
有機ＥＬのディスプレイ装置においては、このようにして駆動される各画素３が、電流駆動による自発光型の素子である有機ＥＬ素子と、この有機ＥＬ素子を駆動する各画素の駆動回路（以下、画素回路と呼ぶ）とにより形成されるようになされている。
【０００６】
しかしてこのようにして形成されるディスプレイ装置においては、ｎチャンネルＭＯＳ型のＴＦＴ（Thin Film Transistor）により各画素回路を形成することにより、また有機ＥＬ素子のアノードをトランジスタに接続してこのトランジスタにより電流駆動することにより、アモルファスシリコンのプロセスを適用して有機ＥＬ素子と画素回路とをガラス基板上に一体に形成することができ、これにより図１２に示すように、ソースフォロワ回路構成により有機ＥＬ素子１２を駆動することが考えられる。
【０００７】
すなわちこの図１２に示すディスプレイ装置１１は、各画素３において、有機ＥＬ素子１２のアノードにソースを接続してなるソースフォロワ回路構成のトランジスタＴＲ２により有機ＥＬ素子１２を電流駆動するように形成され、このトランジスタＴＲ２のゲートに信号レベル保持用のコンデンサＣ１が設けられる。ディスプレイ装置１１は、垂直駆動回路４に設けたライトスキャン回路４Ａから書き込み信号ｗｓを出力するようにして、この書き込み信号ｗｓによりオン動作するトランジスタＴＲ１によるスイッチ回路により、この信号レベル保持用のコンデンサＣ１が信号線ＳＩＧに接続され、これにより書き込み信号ｗｓに応動して信号線ＳＩＧに出力される駆動信号の信号レベルによりトランジスタＴＲ２のゲート電圧Ｖｇが設定される。これによりこのディスプレイ装置１１は、このように設定されたゲート電圧Ｖｇに応じた電流により有機ＥＬ素子１２を駆動し、階調データＤ１に応じた階調により各画素３の有機ＥＬ素子１２を発光させて所望の画像を表示できるようになされている。
【０００８】
しかしながら有機ＥＬ素子においては、図１３に示すように、使用により電流が流れ難くなる方向に電流電圧特性が変化する。なおこの図１３及び図１４において、符号Ｌ１が初期の特性を示し、符号Ｌ２が経時変化による特性を示すものである。これに対して図１２について上述したソーフフォロワ回路による駆動においては、図１４に示すように、トランジスタＴＲ２のドレインソース間電圧Ｖｄｓ−ドレインソース電流Ｉｄｓの特性曲線に対して、負荷による特性曲線が交差してなる交点が動作点となる。これにより有機ＥＬ素子において、電流電圧特性が変化すると、その分、有機ＥＬ素子に流れる電流が減少し、これらにより各画素の輝度が徐々に低下して画質が劣化する欠点がある。
【０００９】
この欠点を解消する１つの方法として、単なるゲート電圧Ｖｇによる階調の設定に代えてゲートソース間電圧Ｖｇｓによる階調の設定により有機ＥＬ素子１２の駆動電流を制御する方法が考えられる。すなわちＴＦＴのドレイン電流Ｉｄｓにおいては、（１／２）×μ×（Ｗ／Ｌ）Ｃｏｘ（Ｖｇｓ−Ｖｔｈ）２ ……（１）により表され、これによりゲートソース間電圧Ｖｇｓによる階調の設定により経時変化による駆動電流の変化を防止することができる。ここでμはキャリアの移動度、Ｗはゲート幅、Ｌはゲート長、Ｃｏｘは単位面積当たりのゲート容量、Ｖｔｈはしきい値電圧である。
【００１０】
しかしながらこのようにゲートソース間電圧Ｖｇｓにより階調を設定する場合、（１）式より明らかなように、有機ＥＬ素子を駆動するトランジスタのしきい値電圧Ｖｔｈがばらつくと、その分、各画素における駆動電流がばらつくようになり、これにより画質が劣化する欠点がある。これによりさらにこの欠点を解消する方法として、階調設定に供する信号レベル保持用のコンデンサに、事前に、トランジスタのしきい値電圧Ｖｔｈを設定し、このしきい値電圧により信号レベル保持用のコンデンサの端子電圧を補正することが考えられる。
【００１１】
図１５は、図１２との対比により、これらの欠点を解消することができると考えられるディスプレイ装置を示すブロック図である。このディスプレイ装置３１では、各画素３３において、トランジスタＴＲ２のゲートドレイン間への信号レベル保持用のコンデンサＣ１の配置に代えて、このトランジスタＴＲ２のゲートソース間に信号レベル保持用のコンデンサＣｓ２を配置し、この信号レベル保持用のコンデンサＣｓ２の端子電圧を信号線ＳＩＧの信号レベルにより設定する。またドライブスキャン信号ｄｓ１によりオン動作するトランジスタＴＲ３によるスイッチ回路をトランジスタＴＲ２のソースに接続し、信号レベル保持用のコンデンサＣｓ２の端子電圧を信号線ＳＩＧの信号レベルにより設定する際に、このトランジスタＴＲ３により信号レベル保持用のコンデンサＣｓ２のソース側端を一定電位に保持する。なお図１５においては、この一定電位がアース電位の場合である。
【００１２】
これによりトランジスタＴＲ２においては、信号レベル保持用のコンデンサＣｓ２に保持された端子間電圧によるゲートソース間電圧Ｖｇｓにより有機ＥＬ素子１２を駆動し得、有機ＥＬ素子１２の電圧電流特性が経時変化した場合であっても、この経時変化による駆動電流の変化を防止して画質劣化を防止することができる。
【００１３】
このようなゲートソース間電圧Ｖｇｓの設定により階調を設定するようにして、このディスプレイ装置３１は、この信号レベル保持用のコンデンサＣｓ２とトランジスタＴＲ１の間に、カップリング用のコンデンサＣｓ１を設け、このカップリング用のコンデンサＣｓ１を介して信号線ＳＩＧの信号レベルＶｉｎにより信号レベル保持用のコンデンサＣｓ２の端子電圧を設定する。しかしてこの場合、コンデンサＣｓ１を介した信号線ＳＩＧへの接続により信号レベル保持用のコンデンサＣｓ２の端子間電圧は、信号線ＳＩＧの信号レベルＶｉｎをコンデンサＣｓ１、Ｃｓ２により分圧した電圧ΔＶｉｎ＝Ｖｉｎ（Ｃｓ１／（Ｃｓ１＋Ｃｓ２））……（２）だけ上昇することになる。これによりこの関係式を考慮して、水平駆動回路３５により信号線ＳＩＧが駆動される。
【００１４】
またディスプレイ装置３１は、トランジスタＴＲ２への電源Ｖｃｃの供給を停止するトランジスタＴＲ４によるスイッチ回路、トランジスタＴＲ２のゲートソース間を短絡させるトランジスタＴＲ５によるスイッチ回路、コンデンサＣｓ１のトランジスタＴＲ１側端を基準電圧に接続するトランジスタＴＲ６によるスイッチ回路が設けられる。なおこのトランジスタＴＲ６に係る基準電圧にあっても、このディスプレイ装置３１ではアース電位に設定される。
【００１５】
これらによりディスプレイ装置３１は、図１６及び図１７（Ａ）に示すように、信号レベル保持用のコンデンサＣｓ２によるゲートソース間電圧ＶｇｓによりトランジスタＴＲ２で有機ＥＬ素子１２を電流駆動し、書き込み信号ｗｓにより画素３３の階調を設定する直前で、トランジスタＴＲ２に電源Ｖｃｃを供給した状態で、制御信号ａｚによりトランジスタＴＲ５をオン状態に設定してトランジスタＴＲ２をダイオード接続すると共に、カップリング用のコンデンサＣｓ１の信号線側端を所定の基準電位に設定する（図１６（Ａ）、（Ｂ）及び図１７（Ｂ））。その後、トランジスタＴＲ４によりトランジスタＴＲ２への電源Ｖｃｃの供給を停止すると共に、トランジスタＴＲ３によりトランジスタＴＲ２のソースを基準電圧に接続する（図１６（Ｃ）、（Ｄ）及び図１７（Ｃ））。これによりこのディスプレイ装置３１では、それまで信号レベル保持用のコンデンサＣｓ２の端子間電圧がトランジスタＴＲ２のしきい値電圧Ｖｔｈ以下の場合であっても、トランジスタＴＲ２のしきい値電圧Ｖｔｈ以上に、一旦、トランジスタＴＲ２のゲートソース間電圧Ｖｇｓを立ち上げた後、しきい値電圧Ｖｔｈに収束させるようになされ、これにより信号レベル保持用のコンデンサＣｓ２にトランジスタＴＲ２のしきい値電圧Ｖｔｈを設定するようになされている。（図１６（Ｅ）及び（Ｆ））。
【００１６】
このようにして信号レベル保持用のコンデンサＣｓ２にしきい値電圧Ｖｔｈを設定すると、このディスプレイ装置３１は、トランジスタＴＲ３によりトランジスタＴＲ２のソースを基準電圧に接続したままの状態で、制御信号ａｚの立ち下げにより、トランジスタＴＲ５によるダイオード接続を中止し、またトランジスタＴＲ６によるカップリング用のコンデンサＣｓ１の基準電圧への接続を中止する（図１６（Ｂ）及び図１７（Ｄ））。また続いて、書き込み信号ｗｓの立ち上げによりトランジスタＴＲ１を制御して信号線ＳＩＧをカップリング用のコンデンサＣｓ１に接続し、これにより信号レベル保持用のコンデンサＣｓ２のソース側端を基準電圧に保持した状態で、カップリング用のコンデンサＣｓ１を介して信号レベル保持用のコンデンサＣｓ２の端子電圧を信号線ＳＩＧの信号レベルＶｉｎにより設定し、これにより有機ＥＬ素子１２の駆動に供するトランジスタＴＲ２のゲートソース間電圧Ｖｇｓを設定する（図１６（Ｃ）及び図１７（Ｄ））。しかしてこの場合、事前に、信号レベル保持用のコンデンサＣｓ２に、トランジスタＴＲ２のしきい値電圧Ｖｔｈが設定されていることにより、信号レベル保持用のコンデンサＣｓ２においては、このしきい値電圧Ｖｔｈの分だけ高い電圧により端子間電圧が設定され、これにより（１）式による括弧内の−Ｖｔｈの項がキャンセルされるように設定されてトランジスタＴＲ２により有機ＥＬ素子１２を駆動することになり、これによりトランジスタＴＲ２のしきい値電圧Ｖｔｈのばらつきによる駆動電流のばらつきが防止される。
【００１７】
これによりディスプレイ装置３１では、トランジスタＴＲ１、ＴＲ３を元の設定に戻した後、トランジスタＴＲ４により電源Ｖｃｃの供給を開始することにより、このようにして設定された信号レベル保持用のコンデンサＣｓ２の端子間電圧により有機ＥＬ素子１２が電流駆動される（図１７（Ｅ））。なお図１７（Ａ）〜（Ｅ）は、それぞれ図１６における期間ＴＡ〜ＴＥに対応する各トランジスタＴＲ１〜ＴＲ６の設定を示すものである。
【００１８】
ディスプレイ装置３１では（図１５）、このような画素３３による画素部３２の構成に対応して、書き込み信号ｗｓを出力するライトスキャン回路２４Ａに加えて、このライトスキャン回路２４Ａによる書き込み信号ｗｓの出力に同期してドライブスキャン信号ｄｓ１、ドライブスキャン信号ｄｓ２、制御信号ａｚをそれぞれ出力するドライブスキャン回路（ＤＳＣＮ）３４Ｂ、ドライブスキャン回路（ＤＳＣＮ２）３４Ｃ、オートゼロ回路（ＺＥＲＯ）３４Ｄを垂直駆動回路３４に設ける。また水平駆動回路３５においては、これらの構成に対応するように駆動信号を生成する。
【００１９】
しかしてこのようにすれば、有機ＥＬ素子１２の経時変化、有機ＥＬ素子１２を駆動するトランジスタＴＲ２のしきい値電圧Ｖｔｈのばらつきによる画質劣化を防止することができる。
【００２０】
ところでこのようにしてトランジスタＴＲ２のしきい値電圧Ｖｔｈのばらつきを補正して信号レベル保持用のコンデンサＣｓ２に信号線ＳＩＧの信号レベルＶｉｎを設定してＥＬ素子１２の階調を設定する場合、黒レベルの階調において、信号線ＳＩＧの信号レベルＶｉｎは０〔Ｖ〕に設定され、その結果、信号レベル保持用のコンデンサＣｓ２の端子間電圧にあっては、トランジスタＴＲ２のしきい値電圧Ｖｔｈに保持され、本来ならば、トランジスタＴＲ２のカットオフにより有機ＥＬ素子１２に何ら電流が供給されないようになり、これにより有機ＥＬ素子１２においては、何ら発光しないことになる。
【００２１】
しかしながらこのようなしきい値電圧Ｖｔｈの設定においては、ばらつきを避け得ず、また有機ＥＬ素子１２を駆動するトランジスタＴＲ２自体もばらつくことになる。これによりこのようにしてトランジスタＴＲ２のしきい値電圧Ｖｔｈを補正する場合、（１）式について上述した括弧内の−Ｖｔｈの項を完全にキャンセルし得ず、僅かながらではあるが、信号レベル保持用のコンデンサＣｓ２に設定される電圧にばらつきが発生する。
【００２２】
このようなばらつきにあっては、信号レベル保持用のコンデンサＣｓ２に設定する本来の電圧が高い場合にあっては、殆ど問題とならないのに対し、信号レベル保持用のコンデンサＣｓ２に設定する電圧が低い場合、本来の端子間電圧に対して相対的にばらつきの電圧が大きくなることにより、表示画像に影響を与えることになる。これにより図１５に示す構成によるディスプレイ装置３１においては、例えば全面を黒階調に設定した場合、微小に発光する画素が発生し、表示画面がザラついたように見て取られるいわゆる面ザラが発生する問題があった。またこのように本来黒レベルによる表示において、有機ＥＬ素子１２が僅かならがではあるが発光することにより、黒レベルによる階調が白レベル側に浮き上がったように見て取られるいわゆる黒浮きが発生する問題があり、さらには黒レベル側においてコントラストが低下する問題があった。
【特許文献１】ＵＳＰ５，６８４，３６５
【特許文献２】特開平８−２３４６８３号
【発明の開示】
【発明が解決しようとする課題】
【００２３】
本発明は以上の点を考慮してなされたもので、発光素子を駆動するトランジスタのしきい値電圧を補正するようにして、面ザラ、黒浮き、コントラストの劣化を防止することができるディスプレイ装置、ディスプレイ装置の駆動回路及びディスプレイ装置の駆動方法を提案しようとするものである。
【課題を解決するための手段】
【００２４】
かかる課題を解決するため請求項１の発明においては、電流駆動による画素をマトリックス状に配置してなる画素部と、画素部を駆動する駆動回路とを有するディスプレイ装置に適用して、画素は、発光素子と、ゲートソース間に信号レベル保持用のコンデンサを保持し、信号レベル保持用のコンデンサの端子間電圧によるゲートソース間電圧により発光素子を駆動するソースフォロワ回路によるトランジスタと、一端をトランジスタのゲートに接続したカップリング用のコンデンサと、カップリング用のコンデンサの他端を信号線に接続する信号線用のスイッチ回路と、トランジスタのゲートドレインを短絡させる短絡用のスイッチ回路と、カップリング用のコンデンサの他端をコンデンサ側の基準電圧に接続するコンデンサ側基準電圧用のスイッチ回路と、トランジスタへの電源の供給を停止する電源用のスイッチ回路とを有し、駆動回路は、信号線用のスイッチ回路の駆動により、カップリング用のコンデンサを介して信号線の信号レベルにより信号レベル保持用のコンデンサの端子電圧を設定することにより、発光素子の駆動に供するトランジスタのゲートソース間電圧を設定し、信号レベル保持用のコンデンサの端子電圧の設定において、コンデンサ側基準電圧用のスイッチ回路、短絡用のスイッチ回路をオン状態に設定すると共に、電源用のスイッチ回路をオフ状態に設定することにより、信号レベル保持用のコンデンサの端子間電圧をトランジスタのしきい値電圧に設定し、コンデンサ側基準電圧用のスイッチ回路、短絡用のスイッチ回路をオフ状態に設定した後、信号線用のスイッチ回路をオン状態に設定し、信号線の信号レベルにより、信号レベル保持用のコンデンサの端子電圧を設定し、コンデンサ側の基準電圧が、信号線の信号レベルにより設定される信号レベル保持用のコンデンサの端子電圧を、階調が低下する側にオフセットさせる電圧であるようにする。
【００２５】
また請求項５の発明においては、電流駆動による画素をマトリックス状に配置してなるディスプレイ装置に適用して、画素は、発光素子と、ゲートソース間に信号レベル保持用のコンデンサを保持し、信号線の信号レベルにより設定された信号レベル保持用のコンデンサの端子間電圧によるゲートソース間電圧により発光素子を駆動するソースフォロワ回路によるトランジスタと、一端をトランジスタのゲートに接続したカップリング用のコンデンサと、カップリング用のコンデンサの他端をコンデンサ側の基準電圧に接続した後、信号レベル保持用のコンデンサの端子間電圧がほぼトランジスタのしきい値電圧となった時点でオフ状態に切り換わって、カップリング用のコンデンサの他端をコンデンサ側の基準電圧より切り離すコンデンサ側基準電圧用のスイッチ回路と、ソース側基準電圧用のスイッチ回路と連動してオン状態に切り換わり、トランジスタのゲートドレインを短絡させる短絡用のスイッチ回路と、コンデンサ側基準電圧用のスイッチ回路のオン動作に応動して、トランジスタへの電源の供給を停止することにより、コンデンサ側基準電圧用のスイッチ回路、短絡用のスイッチ回路がオフ動作するまでの間、信号レベル保持用のコンデンサの端子間電圧を低下させてトランジスタのゲートソース間電圧に設定した後、信号線の信号レベルによる信号レベル保持用のコンデンサの端子間電圧の設定により、トランジスタへの電源の供給を開始する電源用のスイッチ回路と、コンデンサ側基準電圧用のスイッチ回路のオフ動作の後に、カップリング用のコンデンサの他端を信号線に接続し、カップリング用のコンデンサを介して信号レベル保持用のコンデンサの端子電圧を信号線の信号レベルにより設定することにより、信号線の信号レベルにより信号レベル保持用のコンデンサの端子間電圧を設定する信号線用のスイッチ回路とを備え、コンデンサ側の基準電圧が、信号線の信号レベルにより設定される信号レベル保持用のコンデンサの端子電圧を階調が低下する側にオフセットさせる電圧であるようにする。
【００２６】
また請求項６の発明においては、有機ＥＬ素子による画素をマトリックス状に配置してなるディスプレイ装置に適用して、有機ＥＬ素子と、ゲートソース間に信号レベル保持用のコンデンサを保持し、信号線の信号レベルにより設定された信号レベル保持用のコンデンサの端子間電圧によるゲートソース間電圧により有機ＥＬ素子を駆動するソースフォロワ回路によるトランジスタと、一端をトランジスタのゲートに接続したカップリング用のコンデンサと、カップリング用のコンデンサの他端をコンデンサ側の基準電圧に接続した後、信号レベル保持用のコンデンサの端子間電圧がほぼトランジスタのしきい値電圧となった時点でオフ状態に切り換わって、カップリング用のコンデンサの他端をコンデンサ側の基準電圧より切り離すコンデンサ側基準電圧用のスイッチ回路と、ソース側基準電圧用のスイッチ回路と連動してオン状態に切り換わり、トランジスタのゲートドレインを短絡させる短絡用のスイッチ回路と、コンデンサ側基準電圧用のスイッチ回路のオン動作に応動して、トランジスタへの電源の供給を停止することにより、コンデンサ側基準電圧用のスイッチ回路、短絡用のスイッチ回路がオフ動作するまでの間、信号レベル保持用のコンデンサの端子間電圧を低下させてトランジスタのゲートソース間電圧に設定した後、信号線の信号レベルによる信号レベル保持用のコンデンサの端子間電圧の設定により、トランジスタへの電源の供給を開始する電源用のスイッチ回路と、コンデンサ側基準電圧用のスイッチ回路のオフ動作の後に、カップリング用のコンデンサの他端を信号線に接続し、カップリング用のコンデンサを介して信号レベル保持用のコンデンサの端子電圧を信号線の信号レベルにより設定することにより、信号線の信号レベルにより信号レベル保持用のコンデンサの端子間電圧を設定する信号線用のスイッチ回路とを備え、コンデンサ側の基準電圧が、信号線の信号レベルにより設定される信号レベル保持用のコンデンサの端子電圧を階調が低下する側にオフセットさせる電圧であるようにする。
【００２７】
また請求項７の発明においては、電流駆動による画素をマトリックス状に配置してなるディスプレイ装置の駆動回路において、画素は、発光素子と、ゲートソース間に信号レベル保持用のコンデンサを保持し、信号レベル保持用のコンデンサの端子間電圧によるゲートソース間電圧により発光素子を駆動するソースフォロワ回路によるトランジスタと、一端をトランジスタのゲートに接続したカップリング用のコンデンサと、カップリング用のコンデンサの他端を信号線に接続する信号線用のスイッチ回路と、トランジスタのゲートドレインを短絡させる短絡用のスイッチ回路と、カップリング用のコンデンサの他端をコンデンサ側の基準電圧に接続するコンデンサ側基準電圧用のスイッチ回路と、トランジスタへの電源の供給を停止する電源用のスイッチ回路とを有し、信号線用のスイッチ回路の駆動により、カップリング用のコンデンサを介して信号線の信号レベルにより信号レベル保持用のコンデンサの端子電圧を設定することにより、発光素子の駆動に供するトランジスタのゲートソース間電圧を設定し、信号レベル保持用のコンデンサの端子電圧の設定において、コンデンサ側基準電圧用のスイッチ回路、短絡用のスイッチ回路をオン状態に設定すると共に、電源用のスイッチ回路をオフ状態に設定することにより、信号レベル保持用のコンデンサの端子間電圧をトランジスタのしきい値電圧に設定し、コンデンサ側基準電圧用のスイッチ回路、短絡用のスイッチ回路をオフ状態に設定した後、信号線用のスイッチ回路をオン状態に設定し、信号線の信号レベルにより、信号レベル保持用のコンデンサの端子電圧を設定し、コンデンサ側の基準電圧が、信号線の信号レベルにより設定される信号レベル保持用のコンデンサの端子電圧を、階調が低下する側にオフセットさせる電圧であり、ディスプレイ装置の駆動回路は、黒レベル以外の階調において、黒レベルの階調に対応する各階調の信号レベルを、コンデンサ側の基準電圧の分、階調を増大させる側にオフセットさせて信号線の駆動信号を生成する。
【００２８】
また請求項８の発明においては、電流駆動による画素をマトリックス状に配置してなるディスプレイ装置の駆動回路に適用して、画素が、発光素子と、ゲートソース間に信号レベル保持用のコンデンサを保持し、信号レベル保持用のコンデンサの端子間電圧によるゲートソース間電圧により発光素子を駆動するソースフォロワ回路によるトランジスタと、一端をトランジスタのゲートに接続したカップリング用のコンデンサと、カップリング用のコンデンサの他端を信号線に接続する信号線用のスイッチ回路と、トランジスタのゲートドレインを短絡させる短絡用のスイッチ回路と、カップリング用のコンデンサの他端をコンデンサ側の基準電圧に接続するコンデンサ側基準電圧用のスイッチ回路と、トランジスタへの電源の供給を停止する電源用のスイッチ回路とを有し、信号線用のスイッチ回路の駆動により、カップリング用のコンデンサを介して信号線の信号レベルにより信号レベル保持用のコンデンサの端子電圧を設定することにより、発光素子の駆動に供するトランジスタのゲートソース間電圧を設定し、信号レベル保持用のコンデンサの端子電圧の設定において、コンデンサ側基準電圧用のスイッチ回路、短絡用のスイッチ回路をオン状態に設定すると共に、電源用のスイッチ回路をオフ状態に設定することにより、信号レベル保持用のコンデンサの端子間電圧をトランジスタのしきい値電圧に設定し、コンデンサ側基準電圧用のスイッチ回路、短絡用のスイッチ回路をオフ状態に設定した後、信号線用のスイッチ回路をオン状態に設定し、信号線の信号レベルにより、信号レベル保持用のコンデンサの端子電圧を設定し、ディスプレイ装置の駆動回路は、黒レベルの階調において、黒レベル以外の階調に対応する信号レベルを、階調を低減させる側にオフセットさせて信号線の駆動信号を生成する。
【００２９】
また請求項９の発明においては、電流駆動による画素をマトリックス状に配置してなるディスプレイ装置の駆動方法において、画素は、発光素子と、ゲートソース間に信号レベル保持用のコンデンサを保持し、信号レベル保持用のコンデンサの端子間電圧によるゲートソース間電圧により発光素子を駆動するソースフォロワ回路によるトランジスタと、一端をトランジスタのゲートに接続したカップリング用のコンデンサと、カップリング用のコンデンサの他端を信号線に接続する信号線用のスイッチ回路と、トランジスタのゲートドレインを短絡させる短絡用のスイッチ回路と、カップリング用のコンデンサの他端をコンデンサ側の基準電圧に接続するコンデンサ側基準電圧用のスイッチ回路と、トランジスタへの電源の供給を停止する電源用のスイッチ回路とを有し、ディスプレイ装置の駆動方法は、信号線用のスイッチ回路の駆動により、カップリング用のコンデンサを介して信号線の信号レベルにより信号レベル保持用のコンデンサの端子電圧を設定することにより、発光素子の駆動に供するトランジスタのゲートソース間電圧を設定し、信号レベル保持用のコンデンサの端子電圧の設定において、コンデンサ側基準電圧用のスイッチ回路、短絡用のスイッチ回路をオン状態に設定すると共に、電源用のスイッチ回路をオフ状態に設定することにより、信号レベル保持用のコンデンサの端子間電圧をトランジスタのしきい値電圧に設定し、コンデンサ側基準電圧用のスイッチ回路、短絡用のスイッチ回路をオフ状態に設定した後、信号線用のスイッチ回路をオン状態に設定し、信号線の信号レベルにより、信号レベル保持用のコンデンサの端子電圧を設定し、コンデンサ側の基準電圧が、信号線の信号レベルにより設定される信号レベル保持用のコンデンサの端子電圧を、階調が低下する側にオフセットさせる電圧であるようにする。
【００３０】
請求項１の構成により、電流駆動による画素をマトリックス状に配置してなる画素部と、画素部を駆動する駆動回路とを有するディスプレイ装置に適用して、信号線用のスイッチ回路の駆動により、カップリング用のコンデンサを介して信号線の信号レベルにより信号レベル保持用のコンデンサの端子電圧を設定することにより、発光素子の駆動に供するトランジスタのゲートソース間電圧を設定すれば、このトランジスタがソースフォロワ回路であることにより、発光素子の経時変化の影響を有効に回避して発光素子を駆動し得、これにより経時変化による画質劣化を防止することができる。またこの信号レベル保持用のコンデンサの端子電圧の設定において、コンデンサ側基準電圧用のスイッチ回路、短絡用のスイッチ回路をオン状態に設定すると共に、電源用のスイッチ回路をオフ状態に設定することにより、信号レベル保持用のコンデンサの端子間電圧をトランジスタのしきい値電圧に設定し、コンデンサ側基準電圧用のスイッチ回路、短絡用のスイッチ回路をオフ状態に設定した後、信号線用のスイッチ回路をオン状態に設定し、信号線の信号レベルにより、信号レベル保持用のコンデンサの端子電圧を設定すれば、ばらつきを有するトランジスタのしきい値電圧により信号レベル保持用のコンデンサの設定電圧を補正して、トランジスタのしきい値電圧のばらつきによる画質劣化を防止することができる。このような構成において、請求項１の構成においては、コンデンサ側の基準電圧が、信号線の信号レベルにより設定される信号レベル保持用のコンデンサの端子電圧を、階調が低下する側にオフセットさせる電圧であることにより、単にコンデンサ側の基準電圧を設定するだけで、黒レベルで確実に発光素子を発光させないようにすることができ、これにより発光素子を駆動するトランジスタのしきい値電圧を補正するようにして、面ザラ、黒浮き、コントラストの劣化を防止することができる。
【００３１】
これにより請求項５、請求項６の構成によれば、電流駆動による画素、有機ＥＬ素子による画素をマトリックス状に配置してなるディスプレイ装置に適用して、発光素子を駆動するトランジスタのしきい値電圧を補正するようにして、面ザラ、黒浮き、コントラストの劣化を防止することができる。
【００３２】
また請求項７、請求項８の構成によれば、発光素子を駆動するトランジスタのしきい値電圧を補正するようにしてなるディスプレイ装置について、面ザラ、黒浮き、コントラストの劣化を防止することができるディスプレイ装置の駆動回路を提供することができる。
【００３３】
また請求項９の構成によれば、発光素子を駆動するトランジスタのしきい値電圧を補正するようにしてなるディスプレイ装置について、面ザラ、黒浮き、コントラストの劣化を防止することができるディスプレイ装置の駆動方法を提供することができる。
【発明の効果】
【００３４】
本発明によれば、発光素子を駆動するトランジスタのしきい値電圧を補正するようにして、面ザラ、黒浮き、コントラストの劣化を防止することができる。
【発明を実施するための最良の形態】
【００３５】
以下、適宜図面を参照しながら本発明の実施例を詳述する。
【実施例１】
【００３６】
図２は、本発明の実施例１に係るディスプレイ装置を示すブロック図である。このディスプレイ装置５１において、画素部５２は、電流駆動による赤色、緑色、青色の画素（ＰＸＲ、ＰＸＧ、ＰＸＢ）５３がマトリックス状に配置され、これらの画素５３に対して、６本の走査線ＳＣＮ、ＳＣＮ１、ＳＣＮ２Ｒ、ＳＣＮ２Ｇ、ＳＣＮ２Ｂ、ＳＣＮ３がライン単位で水平方向に設けられる。またこれらの走査線ＳＣＮ、ＳＣＮ１、ＳＣＮ２Ｒ、ＳＣＮ２Ｇ、ＳＣＮ２Ｂ、ＳＣＮ３と直交するように信号線ＳＩＧが各列毎に垂直方向に設けられる。このようにして形成されてなる画素部５２に対して、ディスプレイ装置５１は、垂直駆動回路５４により走査線ＳＣＮ、ＳＣＮ２Ｒ、ＳＣＮ２Ｇ、ＳＣＮ２Ｂ、ＳＣＮ３を駆動して順次ライン単位で画素５３に設けられた画素回路の動作を制御すると共に、この画素回路の制御に対応するように水平駆動回路５５により信号線ＳＩＧを駆動して各画素５３の階調を設定するようになされている。
【００３７】
このため垂直駆動回路５４は、各画素５３への書き込みをライン単位で順次指示する書き込み信号ｗｓをライトスキャン回路（ＷＳＣＮ）５４Ａにより生成し、またこの書き込み信号ｗｓに同期してドライブスキャン信号ｄｓ１、ｄｓ２をドライブスキャン回路５４Ｂ、５４Ｃにより生成し、これら書き込み信号ｗｓ、ドライブスキャン信号ｄｓ１、ｄｓ２を走査線ＳＣＮ、ＳＣＮ１、ＳＣＮ２Ｒ、ＳＣＮ２Ｇ、ＳＣＮ２Ｂに出力して各画素５３における階調の設定を制御するようになされている。また有機ＥＬ素子１２のしきい値電圧Ｖｔｈの補正を指示する制御信号ａｚをオートゼロ回路（ＺＥＲＯ）５４Ｄにより生成し、この制御信号ａｚを走査線ＳＣＮ３に出力するようになされている。またこのような制御において、ドライブスキャン信号ｄｓ２については、赤色、緑色、青色の画素５３毎に生成してそれぞれ対応する画素５３の走査線ＳＣＮ２Ｒ、ＳＣＮ２Ｇ、ＳＣＮ２Ｂに出力し、これによりこのディスプレイ装置５１では、赤色、緑色、青色の各画素５３における発光、非発光の制御により、カラーバランスを調整するようになされている。
【００３８】
また水平駆動回路５５においては、各画素５３の階調を指示する階調データＤ１に応じてアナログディジタル変換回路によるシグナルドライバ５５Ｂにより駆動信号を生成し、この駆動信号を水平セレクタ（ＨＳＥＬ）５５Ａにより各信号線ＳＩＧに振り分けて出力するようになされている。
【００３９】
図１は、図１２との対比によりこのディスプレイ装置５１に係る各画素５３を示す接続図である。このディスプレイ装置５１に係る画素５３においては、カップリング用のコンデンサＣｓ１の信号線ＳＩＧ側端をトランジスタＴＲ６により基準電圧Ｖｏｆに接続するようになされ、この基準電圧Ｖｏｆが、信号レベル保持用のコンデンサＣｓ２に対する信号線ＳＩＧの信号レベルの設定において、負のオフセット電圧を与える電源に設定されるようになされている。各画素５３においては、このトランジスタＴＲ６に係る基準電圧Ｖｏｆの設定が異なる点を除いて、図１５のディスプレイ装置３１の画素３３と同一に構成される。
【００４０】
具体的に、基準電圧Ｖｏｆは、電源Ｖｃｃ側に所定電位だけ立ち上がる正側電源電圧に設定される。また電圧値にあっては、信号レベル保持用のコンデンサＣｓ２にトランジスタＴＲ２のしきい値電圧Ｖｔｈを設定して、このしきい値電圧Ｖｔｈの設定、トランジスタＴＲ２がばらついた場合でも、黒レベルの階調により信号レベル保持用のコンデンサＣｓ２を設定して、トランジスタＴＲ２を確実にカットオフさせる電圧を信号レベル保持用のコンデンサＣｓ２に設定する電圧に設定される。このためこの実施例では、この画素部５２に各種の電源を供給する電源回路において、この基準電圧Ｖｏｆを調整できるように形成され、この調整により基準電圧Ｖｏｆは、黒レベルの階調によっては各画素５４が発光しない電圧に設定されるようになされている。
【００４１】
これによりこの画素５３においては、図３に示すように、黒レベルによる階調の設定においては、確実にトランジスタＴＲ２をカットオフさせて有機ＥＬ素子１２を駆動しないようにして、面ザラ、黒浮き、コントラストの低下を防止するようになされている。
【００４２】
すなわちこの場合、この画素５３においては、信号レベル保持用のコンデンサＣｓ２に保持された端子間電圧によるゲートソース間電圧Ｖｇｓにより有機ＥＬ素子１２を駆動して、ドライブスキャン信号ｄｓ２により発光、非発光が制御され（図３（Ｄ）〜（Ｆ））、非発光に設定する直前で制御信号ａｚが立ち上げられ、トランジスタＴＲ５、ＴＲ６がオン状態に設定される（図３（Ｂ））。これによりトランジスタＴＲ２のゲートソース間電圧Ｖｇｓが一旦、立ち上げられた後、ドライブスキャン信号ｄｓ２の立ち上げにより、トランジスタＴＲ２への電源Ｖｃｃの供給が停止され、またドライブスキャン信号ｄｓ１の立ち上げにより（図３（Ｃ））、信号レベル保持用のコンデンサＣｓ２のソース側端がアース電位に設定される。これにより信号レベル保持用のコンデンサＣｓ２にトランジスタＴＲ２のしきい値電圧Ｖｔｈが設定される。
【００４３】
このときトランジスタＴＲ６によりカップリング用のコンデンサＣｓ１の信号線ＳＩＧ側においては、基準電圧Ｖｏｆに保持され、これにより信号レベル保持用のコンデンサＣｓ２においては、このカップリング用のコンデンサＣｓ１の信号線ＳＩＧ側端が基準電圧Ｖｏｆに設定された状態でトランジスタＴＲ２のしきい値電圧Ｖｔｈが設定される。これによりトランジスタＴＲ５、ＴＲ６をオフ状態に設定した後、書き込み信号ｗｓにより信号線ＳＩＧをカップリング用のコンデンサＣｓ１の信号線側に接続すると（図３（Ａ））、カップリング用のコンデンサＣｓ１においては、しきい値電圧Ｖｔｈの設定時における基準電圧Ｖｏｆに対する信号線ＳＩＧの信号レベルＶｉｎの分だけ信号線ＳＩＧより電荷の供給を受け、これにより信号線ＳＩＧの信号レベルＶｉｎに対して基準電圧Ｖｏｆの分だけ低い電圧により信号レベル保持用のコンデンサＣｓ２の端子電圧が設定されることになる。なお図３は、黒レベルによる階調による信号レベルＶｉｎが信号線ＳＩＧに供給されている場合の例である。
【００４４】
これにより画素５３においては、カップリング用のコンデンサＣｓ１の信号線ＳＩＧ側に接続する基準電圧Ｖｏｆにより、信号線ＳＩＧの信号レベルＶｉｎにより設定される信号レベル保持用のコンデンサＣｓ２の端子電圧を、階調が低下する側にオフセットさせ、この信号レベル保持用のコンデンサＣｓ２の端子間電圧によるゲートソース間電圧ＶｇｓによりトランジスタＴＲ２で有機ＥＬ素子１２を駆動して、確実に黒レベルに設定できるようになされている。
【００４５】
このような画素５３における基準電圧Ｖｏｆによるオフセット電圧の供給に対応して、このディスプレイ装置５１において、シグナルドライバ５５Ｂは、階調データＤ１により指示される階調に対して、図４及び図５に示すような特性により駆動信号を生成して信号線に出力する。ここで図４は、信号レベル保持用のコンデンサＣｓ２の端子間電圧Ｖｃｓ２と階調データＤ１による階調を示す特性曲線図であり、図４は、信号線ＳＩＧに出力する駆動信号の信号レベルＶｉｎと階調データＤ１との関係を示す特性曲線図である。また符号Ｌ３は、トランジスタＴＲ６によりカップリング用のコンデンサＣｓ１の信号線側端をアース電位に接続する場合の特性曲線であり、符号Ｌ４は、この実施例に係る特性曲線である。
【００４６】
通常、この種のディスプレイ装置においては、有機ＥＬ素子１２の発光特性に対応して、階調の増大により順次信号レベルが０レベルから増大するように設定され（図４、符号Ｌ３）、これによりトランジスタＴＲ６によりカップリング用のコンデンサＣｓ１の信号線側端をアース電位に接続して黒レベルの階調を表示する場合、信号レベル保持用のコンデンサＣｓ２の端子間電圧Ｖｃｓ２は、（２）式における括弧内が値０となるように、トランジスタＴＲ２のしきい値電圧Ｖｔｈに設定され（図４、符号Ｌ３）、これによりトランジスタＴＲ２においては、カットオフ状態に保持されて有機ＥＬ素子１２を駆動し得ず、黒レベルの階調が表現されることになる。
【００４７】
しかしながらこの実施例においては、基準電圧Ｖｏｆにより信号レベル保持用のコンデンサＣｓ２に設定される端子間電圧を負側にオフセットさせることにより、トランジスタＴＲ６によりカップリング用のコンデンサＣｓ１の信号線側端をアース電位に接続する場合と同様の特性により駆動信号を生成した場合には、黒側に階調が沈み込んで階調を正しく表現することが困難になり、また黒レベルに続く階調において、図１５の構成について説明したような黒レベルの階調における場合の面ザラ等の問題が発生することになる。
【００４８】
このためシグナルドライバ５５Ｂは、黒レベルについては、トランジスタＴＲ６によりカップリング用のコンデンサＣｓ１の信号線側端をアース電位に設定する場合と同一の信号レベルにより駆動信号を生成する。また黒レベル以外については、トランジスタＴＲ６によりカップリング用のコンデンサＣｓ１の信号線側端をアース電位に設定する場合に対して、基準電圧Ｖｏｆの分だけ高い電圧により駆動信号を生成する。これによりこの実施例では、黒レベル以外の階調において、黒レベルの階調に対応する各階調の信号レベルを、コンデンサ側の基準電圧Ｖｏｆの分、階調を増大させる側にオフセットさせて信号線ＳＩＧの駆動信号を生成するようになされ、これにより信号レベル保持用のコンデンサＣｓ２の端子間電圧をオフセットさせて面ザラ等を防止するようにして、正しい階調により画像表示できるようになされている。
【００４９】
（２）実施例の動作
以上の構成において、このディスプレイ装置５１は（図２）、垂直駆動回路５４による走査線ＳＣＮ、ＳＣＮ２Ｒ、ＳＣＮ２Ｇ、ＳＣＮ２Ｂ、ＳＣＮ３の駆動により順次ライン単位で水平駆動回路５５により駆動される信号線ＳＩＧの信号レベルが各画素５３に設定される。ディスプレイ装置５１は、この各画素５３に設定した信号レベルにより各画素５３が発光して所望の画像が表示される。
【００５０】
ディスプレイ装置５１では、各画素５３において、有機ＥＬ素子１２を駆動するソースフォロワ回路構成のトランジスタＴＲ２のゲートソース間に信号レベル保持用のコンデンサＣｓ１が設けられ、トランジスタＴＲ１によるスイッチ回路によりカップリング用のコンデンサＣｓ２を信号線ＳＩＧに接続することにより、このカップリング用のコンデンサＣｓ１を介して信号線ＳＩＧの信号レベルＶｉｎがこの信号レベル保持用のコンデンサＣｓ２に設定される。またこのようにして設定した信号レベル保持用のコンデンサＣｓ２によるゲートソース間電圧ＶｇｓによりトランジスタＴＲ２で有機ＥＬ素子１２が電流駆動される。これによりディスプレイ装置５１においては、有機ＥＬ素子１２の電圧電流特性の経時変化による駆動電流の変化を防止し得、有機ＥＬ素子１２の経時変化による画質の劣化を有効に回避することができる。また各画素５３をｎチャンネル型ＭＯＳトランジスタにより形成し、またトランジスタＴＲ２によるアノード側より有機ＥＬ素子１２を駆動することができ、これらによりアモルファスシリコンのプロセスを適用して有機ＥＬ素子１２と画素回路とをガラス基板上に一体に形成することができる。
【００５１】
ディスプレイ装置５１では、このような信号線ＳＩＧの信号レベルＶｉｎによる信号レベル保持用のコンデンサＣｓ２の端子電圧の設定において、トランジスタＴＲ２を電源に接続したまま、制御信号ａｚによりトランジスタＴＲ５、ＴＲ６をオン状態に設定して、トランジスタＴＲ２がダイオード接続に設定されると共に、カップリング用のコンデンサＣｓ１の信号線側端が基準電圧Ｖｏｆに接続され、一旦、トランジスタＴＲ２のゲートソース間電圧Ｖｇｓが立ち上げられる。
【００５２】
またその後、トランジスタＴＲ４によりトランジスタＴＲ２への電源Ｖｃｃの供給が停止され、また信号レベル保持用のコンデンサＣｓ２のソース側端が基準電圧であるアース電位に接続され、これらにより信号レベル保持用のコンデンサＣｓ２のソース側端をアース電位に設定して、信号レベル保持用のコンデンサＣｓ２の端子間電圧がトランジスタＴＲ２のしきい値電圧Ｖｔｈに設定される。このディスプレイ装置５１では、カップリング用のコンデンサＣｓ１を介して信号線ＳＩＧの信号レベルＶｉｎにより設定される信号レベル保持用のコンデンサＣｓ２の端子間電圧が、この信号レベル保持用のコンデンサＣｓ２に設定されたトランジスタＴＲ２のしきい値電圧Ｖｔｈにより補正され、これによりトランジスタＴＲ２のしきい値電圧Ｖｔｈのばらつきによる画質劣化が防止される。
【００５３】
ディスプレイ装置５１では、トランジスタＴＲ６によりカップリング用のコンデンサＣｓ１の信号線側端が所定の基準電圧Ｖｏｆに接続された状態で、このように信号レベル保持用のコンデンサＣｓ２にトランジスタＴＲ２のしきい値電圧Ｖｔｈが設定された後、カップリング用のコンデンサＣｓ１を介して、信号線ＳＩＧの信号レベルＶｉｎにより信号レベル保持用のコンデンサＣｓ２の端子間電圧が設定され、これにより信号レベル保持用のコンデンサＣｓ２においては、階調を低下させるように、端子間電圧がこの基準電圧Ｖｏｆの分だけ低い電圧にオフセットされて設定される。
【００５４】
この実施例では、このオフセットする電圧が、信号レベル保持用のコンデンサＣｓ２に対するトランジスタＴＲ２のしきい値電圧Ｖｔｈの設定がばらついた場合でも、またトランジスタＴＲ２がばらついた場合でも、黒レベルの階調については、有機ＥＬ素子１２を発光させない電圧に設定され、これにより面ザラ、黒浮き、コントラストの劣化を防止することができる。
【００５５】
またこのようにして信号レベル保持用のコンデンサＣｓ２の端子間電圧を基準電圧Ｖｏｆの分だけ低い電圧にオフセットされて変化する黒以外の階調を補正するように、黒以外の階調においては、黒レベルの階調に対応する各階調の信号レベルが、基準電圧Ｖｏｆの分だけ高い電圧に設定されてシグナルドライバ５５Ｂにより駆動信号が生成され、これによりこのように面ザラ、黒浮き、コントラストの劣化を防止して正しい階調により画像表示することができる。
【００５６】
（３）実施例の効果
以上の構成によれば、ソースフォロワ回路構成により発光素子を電流駆動するトランジスタに対して、このトランジスタのゲートソース間に設けられた信号レベル保持用のコンデンサにトランジスタのしきい値電圧を設定した後、信号線の信号レベルを設定することにより、トランジスタのばらつきを補正して階調を設定する構成において、カプリング用のコンデンサに接続する基準電圧によって階調を低下させるように信号レベル保持用のコンデンサの端子間電圧をオフセットさせることにより、発光素子を駆動するトランジスタのしきい値電圧を補正するようにして、簡易な構成により面ザラ、黒浮き、コントラストの劣化を防止することができる。
【００５７】
またこのように信号レベル保持用のコンデンサの端子間電圧をオフセットさせて、黒レベル以外の階調については、黒レベルの信号レベルに対応する各階調の信号レベルより、オフセットの電圧の分、高い電圧により駆動信号を生成することにより、正しい階調により画像表示することができる。しかしてこのようにして駆動信号側でも階調を補正する場合にあっては、信号レベル保持用のコンデンサＣｓ２の端子間電圧を極端に大きな電圧によりオフセットさせる場合であっても、正しい階調により画像表示することができ、これにより信号レベル保持用のコンデンサＣｓ２に設定されるトランジスタＴＲ２におけるしきい値電圧Ｖｔｈが大きくばらついた場合でも、確実に面ザラ、黒浮き等を防止して正しい階調により画像表示することができる。
【実施例２】
【００５８】
図６は、本発明の実施例２に係るディスプレイ装置を示すブロック図である。このディスプレイ装置６１においては、トランジスタＴＲ２のソースを基準電圧であるアースに接地するトランジスタＴＲ３が、書き込み信号ｗｓにより制御される。これによりこのディスプレイ装置５１では、このトランジスタＴＲ３の制御信号であるドライブスキャン信号ｄｓ１を省略して、その分、画素６３を高密度により配置できるようになされ、また垂直駆動回路６４の構成を簡略化できるようになされている。
【００５９】
このディスプレイ装置６１は、この書き込み信号ｗｓに関連する制御が異なる点を除いて実施例１に係るディスプレイ装置５１と同一に構成される。これによりそれぞれ書き込み信号ｗｓ、ドライブスキャン信号ｄｓ２、制御信号ａｚを出力するライトスキャン回路６４Ａ、ドライブスキャン回路６４Ｃ、オートゼロ回路６４Ｄが垂直駆動回路６４に設けられるようになされている。また水平駆動回路６５Ａにおいては、シグナルドライバ６５Ｂにより駆動信号を生成して水平セレクタ６５Ａにより各信号線ＳＩＧに振り分けるようになされている。
【００６０】
図７は、垂直駆動回路６４から出力される書き込み信号ｗｓ、ドライブスキャン信号ｄｓ２、制御信号ａｚとトランジスタＴＲ２との関係を示すタイムチャートである。このディスプレイ装置６１では、ドライブスキャン信号ｄｓ２（図７（Ｃ））によるトランジスタＴＲ４のオンオフ制御により発光、非発光が制御され、非発光に設定する直前で、制御信号ａｚが立ち上げられることにより（図７（Ｂ））、トランジスタＴＲ２のゲートソース間電圧Ｖｇｓが一旦立ち上げられた後、トランジスタＴＲ２のしきい値電圧Ｖｔｈに設定される（図７（Ｄ）及び（Ｅ））。この実施例においても、画素６３は、カップリング用のコンデンサＣｓ１の信号線側端がトランジスタＴＲ６により基準電圧Ｖｏｆに接続された状態で、このようにトランジスタＴＲ２のゲートソース間電圧ＶｇｓがトランジスタＴＲ２のしきい値電圧Ｖｔｈに設定される。なおこの場合、このしきい値電圧Ｖｔｈの設定に供するトランジスタＴＲ２のゲート電圧Ｖｇ、ソース電圧Ｖｓの立ち下がりにおいては、有機ＥＬ素子１２を介した蓄積電荷の放電により実行されることにより、トランジスタＴＲ２においては、ソース電圧Ｖｓが有機ＥＬ素子１２のしきい値電圧ＶｔｈＥＬに設定されて、ゲートソース間電圧ＶｇｓがトランジスタＴＲ２のしきい値電圧Ｖｔｈに設定される。
【００６１】
またその後、制御信号ａｚが立ち下げられてトランジスタＴＲ５、ＴＲ６がオフ状態に設定され、続いて書き込み信号ｗｓによりカップリング用のコンデンサＣｓ１の信号線側端が信号線ＳＩＧに接続され（図７（Ａ））、これにより信号レベル保持用のコンデンサＣｓ２のソース側端をアースに接地した状態で、信号線ＳＩＧの信号レベルＶｉｎにより信号レベル保持用のコンデンサＣｓ２の端子電圧が設定される。
【００６２】
これによりこのディスプレイ装置６１において、このようにして信号線ＳＩＧの信号レベルＶｉｎにより設定されるトランジスタＴＲ２の端子間電圧においては、基準電圧Ｖｏｆの分だけ、階調を低下させるように補正され、これにより簡易な構成で面ザラ、黒浮き、コントラストの劣化を防止することができるようになされている。
【００６３】
ディスプレイ装置６１では、さらに実施例１の場合と同様に、このようにして信号レベル保持用のコンデンサＣｓ２の端子間電圧を補正して、これに対応するように、黒レベル以外の階調で信号レベルを立ち上げるように、シグナルドライバ６５Ｂにより駆動信号が生成され、これによりこのように面ザラ、黒浮き、コントラストの劣化を防止して正しい階調により画像表示できるようになされている。
【００６４】
図６の構成によれば、信号レベル保持用のコンデンサＣｓ２のソース側端を基準電圧の接続するトランジスタＴＲ３を書き込み信号ｗｓにより制御する場合であっても、実施例１と同様の効果を得ることができる。
【実施例３】
【００６５】
図８は、本発明の実施例３に係るディスプレイ装置を示すブロック図である。このディスプレイ装置７１においては、トランジスタＴＲ２のソースを基準電圧であるアースに接地するトランジスタＴＲ３が、しきい値電圧Ｖｔｈの補正を指示する制御信号ａｚにより制御される。これによりこのディスプレイ装置７１では、このトランジスタＴＲ３の制御信号であるドライブスキャン信号ｄｓ１を省略して、その分、画素７３を高密度により配置できるようになされ、また垂直駆動回路７４の構成を簡略化できるようになされている。
【００６６】
このディスプレイ装置７１は、この制御信号ａｚに関連する制御が異なる点を除いて実施例１に係るディスプレイ装置５１と同一に構成される。これによりそれぞれ書き込み信号ｗｓ、ドライブスキャン信号ｄｓ２、制御信号ａｚを出力するライトスキャン回路７４Ａ、ドライブスキャン回路７４Ｃ、オートゼロ回路７４Ｄが垂直駆動回路７４に設けられるようになされている。また水平駆動回路７５Ａにおいては、シグナルドライバ７５Ｂにより駆動信号を生成して水平セレクタ７５Ａにより各信号線ＳＩＧに振り分けるようになされている。
【００６７】
図９は、垂直駆動回路７４から出力される書き込み信号ｗｓ、ドライブスキャン信号ｄｓ２、制御信号ａｚとトランジスタＴＲ２との関係を示すタイムチャートである。このディスプレイ装置７１では、ドライブスキャン信号ｄｓ２（図９（Ｃ））によるトランジスタＴＲ４のオンオフ制御により発光、非発光が制御され、非発光に設定する直前で、制御信号ａｚが立ち上げられることにより（図９（Ｂ））、トランジスタＴＲ２のゲートソース間電圧Ｖｇｓが一旦立ち上げられた後、トランジスタＴＲ２のしきい値電圧Ｖｔｈに設定される（図９（Ｄ）及び（Ｅ））。この実施例においても、画素７３は、カップリング用のコンデンサＣｓ１の信号線側端がトランジスタＴＲ６により基準電圧Ｖｏｆに接続された状態で、このようにトランジスタＴＲ２のゲートソース間電圧ＶｇｓがトランジスタＴＲ２のしきい値電圧Ｖｔｈに設定される。またこの実施例では、このようにトランジスタＴＲ５、ＴＲ６を制御する制御信号ａｚにより併せてトランジスタＴＲ３がオンオフ制御されることにより、このようなトランジスタＴＲ２のゲートソース間電圧Ｖｇｓのしきい値電圧Ｖｔｈの設定においては、トランジスタＴＲ２のソース端がアース電位に設定されて実行される。
【００６８】
またその後、制御信号ａｚが立ち下げられてトランジスタＴＲ３、ＴＲ５、ＴＲ６がオフ状態に設定され、続いて書き込み信号ｗｓによりカップリング用のコンデンサＣｓ１の信号線側端が信号線ＳＩＧに接続され（図９（Ａ））、これにより信号レベル保持用のコンデンサＣｓ２のソース側端を有機ＥＬ素子１２を介して接地した状態で、信号線ＳＩＧの信号レベルＶｉｎにより信号レベル保持用のコンデンサＣｓ２の端子間電圧が設定される。しかしてこのような端子間電圧の設定においては、カップリング用のコンデンサＣｓ１、信号レベル保持用のコンデンサＣｓ２の充電により実行されるものであり、この間、有機ＥＬ素子１２においては、カットオフの状態に保持される。しかしながら有機ＥＬ素子１２は、数１０〔ｐＦ〕程度の容量を有することにより、この有機ＥＬ素子１２の容量に比してカップリング用のコンデンサＣｓ１、信号レベル保持用のコンデンサＣｓ２の容量を十分に小さく設定することにより、信号レベル保持用のコンデンサＣｓ２のアース側端をほぼアース電位に保持した状態で、信号レベル保持用のコンデンサＣｓ２の信号線側電位を信号線ＳＩＧの信号レベルＶｉｎにより設定することができ、これにより信号レベル保持用のコンデンサＣｓ２の端子間電圧を信号線ＳＩＧの信号レベルＶｉｎにより正しく設定することができる。
【００６９】
しかしてこのディスプレイ装置７１において、このようにして信号線ＳＩＧの信号レベルＶｉｎにより設定される信号レベル保持用のコンデンサＣｓ２の端子間電圧においては、基準電圧Ｖｏｆの分だけ、階調を低下させるように補正され、これにより簡易な構成で面ザラ、黒浮き、コントラストの劣化を防止することができるようになされている。
【００７０】
ディスプレイ装置７１では、さらに実施例１の場合と同様に、このようにして信号レベル保持用のコンデンサＣｓ２の端子間電圧を補正して、これに対応するように、黒レベル以外の階調で信号レベルを立ち上げるように、シグナルドライバ７５Ｂにより駆動信号が生成され、これによりこのように面ザラ、黒浮き、コントラストの劣化を防止して正しい階調により画像表示できるようになされている。
【００７１】
図８の構成によれば、信号レベル保持用のコンデンサＣｓ２のソース側端を基準電圧に接続するトランジスタＴＲ３をしきい値電圧Ｖｔｈの補正に係る制御信号ａｚにより制御する場合であっても、実施例１と同様の効果を得ることができる。
【実施例４】
【００７２】
図１０は、本発明の実施例４に係るディスプレイ装置を示すブロック図である。このディスプレイ装置８１においては、トランジスタＴＲ２のソースを基準電圧であるアースに接地するトランジスタＴＲ３が省略されて形成される。これによりこのディスプレイ装置８１では、このトランジスタＴＲ３を省略した分、画素８３を高密度により配置できるようになされ、また垂直駆動回路８４の構成を簡略化できるようになされている。
【００７３】
このディスプレイ装置８１は、このトランジスタＴＲ３に係る構成が異なる点を除いて実施例１に係るディスプレイ装置５１と同一に構成される。これによりそれぞれ書き込み信号ｗｓ、ドライブスキャン信号ｄｓ２、制御信号ａｚを出力するライトスキャン回路８４Ａ、ドライブスキャン回路８４Ｃ、オートゼロ回路８４Ｄが垂直駆動回路８４に設けられるようになされている。また水平駆動回路８５においては、シグナルドライバ８５Ｂにより駆動信号を生成して水平セレクタ８５Ａにより各信号線ＳＩＧに振り分けるようになされている。
【００７４】
このディスプレイ装置８１では、ドライブスキャン信号ｄｓ２によるトランジスタＴＲ４のオンオフ制御により発光、非発光が制御され、非発光に設定する直前で、制御信号ａｚが立ち上げられることにより、トランジスタＴＲ２のゲートソース間電圧Ｖｇｓが一旦立ち上げられた後、トランジスタＴＲ２のしきい値電圧Ｖｔｈに設定される。このディスプレイ装置８１では、このしきい値電圧Ｖｔｈの設定が、有機ＥＬ素子１２を介した蓄積電荷の放電により実行され、これによりトランジスタＴＲ２においては、一定の時間経過により、ソース電圧Ｖｓが有機ＥＬ素子１２のしきい値電圧ＶｔｈＥＬに設定されて、ゲートソース間電圧ＶｇｓがトランジスタＴＲ２のしきい値電圧Ｖｔｈに設定される。
【００７５】
このとき画素８３は、カップリング用のコンデンサＣｓ１の信号線側端がトランジスタＴＲ６により基準電圧Ｖｏｆに接続された状態で、このようにトランジスタＴＲ２のゲートソース間電圧ＶｇｓがトランジスタＴＲ２のしきい値電圧Ｖｔｈに設定される。
【００７６】
またその後、制御信号ａｚが立ち下げられてトランジスタＴＲ３、ＴＲ５、ＴＲ６がオフ状態に設定され、続いて書き込み信号ｗｓによりカップリング用のコンデンサＣｓ１の信号線側端が信号線ＳＩＧに接続され、これにより実施例３のディスプレイ装置７１と同様に、信号レベル保持用のコンデンサＣｓ２のソース側端を有機ＥＬ素子１２を介して接地した状態で、信号線ＳＩＧの信号レベルＶｉｎにより信号レベル保持用のコンデンサＣｓ２の端子間電圧が設定される。
【００７７】
これによりこのディスプレイ装置８１においても、このようにして信号線ＳＩＧの信号レベルＶｉｎにより設定される信号レベル保持用のコンデンサＣｓ２の端子間電圧においては、基準電圧Ｖｏｆの分だけ、階調を低下させるように補正され、これにより簡易な構成で面ザラ、黒浮き、コントラストの劣化を防止することができるようになされている。
【００７８】
ディスプレイ装置８１では、さらに実施例１の場合と同様に、このコンデンサＣｓ２における端子間電圧の補正に対応するように、シグナルドライバ８５Ｂにより駆動信号が生成され、これによりこのように面ザラ、黒浮き、コントラストの劣化を防止して正しい階調により画像表示できるようになされている。
【００７９】
図１０の構成によれば、信号レベル保持用のコンデンサＣｓ２のソース側端を基準電圧に接続するトランジスタＴＲ３をしきい値電圧Ｖｔｈの補正に係る制御信号ａｚにより制御する場合であっても、実施例１と同様の効果を得ることができる。
【実施例５】
【００８０】
この実施例においては、実施例１〜４について上述した基準電圧Ｖｏｆによる信号レベル保持用コンデンサＣｓ２の端子電圧の補正、シグナルドライバによる階調の補正に代えて、図１５の構成において、水平駆動回路３５に設けられているシグナルドライバによる駆動信号の生成により、面ザラ、黒浮き、コントラストの劣化を防止し、さらには正しい階調により画像表示する。
【００８１】
すなわちこの実施例に係るディスプレイ装置においては、図４において符号Ｌ４に示す特性により信号レベル保持用のコンデンサＣｓ２の端子間電圧を設定するように、シグナルドライバにより駆動信号を生成して信号線に出力する。このため黒レベルの階調において、黒レベル以外の階調に対応する信号レベルを、階調を低減させる側にオフセットさせて信号線の駆動信号を生成する。具体的には、図５において、符号Ｌ４に示す特性を電圧Ｖｏｆだけ負側にオフセットさせた特性により駆動信号を生成する。
【００８２】
この実施例のように、黒レベルの階調において、黒レベル以外の階調に対応する信号レベルを、階調を低減させる側にオフセットさせて信号線の駆動信号を生成するようにしても、実施例１と同様の効果を得ることができる。
【実施例６】
【００８３】
なお上述の実施例においては、ディジタルアナログ変換回路であるシグナルドライバにより階調を補正する場合について述べたが、本発明はこれに限らず、例えばディジタルアナログ変換回路の前段で階調を補正するようにしてもよい。
【００８４】
また上述の実施例においては、ｎチャンネル型のトランジスタにより画素回路を作成する場合について述べたが、本発明はこれに限らず、例えば、ｐチャンネル型のトランジスタにより画素回路を作成する場合にも広く適用することができる。
【００８５】
また上述の実施例においては、画素部で基準電圧Ｖｏｆの設定により黒レベルを設定し、併せて水平駆動回路側で階調を補正する場合について述べたが、本発明はこれに限らず、実用上十分な特性を確保できる場合には、水平駆動回路側でも階調の補正を省略するようにしてもよい。
【００８６】
また上述の実施例においては、アモルファスシリコンのプロセスを適用して有機ＥＬ素子、画素回路、駆動回路をガラス基板上に一体に作成する場合について述べたが、本発明はこれに限らず、画素部と別体にシリコン基板により駆動回路を作成した後、画素部と接続して一体化する場合等にも広く適用することができる。
【００８７】
また上述の実施例においては、有機ＥＬ素子による発光素子を電流駆動する場合について述べたが、本発明はこれに限らず、電流駆動に係る種々の発光素子によるディスプレイ装置に広く適用することができる。
【産業上の利用可能性】
【００８８】
本発明は、ディスプレイ装置、ディスプレイ装置の駆動回路及びディスプレイ装置の駆動方法に関し、例えば有機ＥＬ素子によるディスプレイ装置に適用することができる。
【図面の簡単な説明】
【００８９】
【図１】本発明の実施例１に係るディスプレイ装置の画素を周辺構成と共に示す接続図である。
【図２】図１の画素によるディスプレイ装置を示すブロック図である。
【図３】図１の画素の動作の説明に供するタイムチャートである。
【図４】図１の画素に係る信号レベル保持用のコンデンサの端子間電圧と階調との関係を示す特性曲線図である。
【図５】図１の画素に係る信号線の駆動信号と階調との関係を示す特性曲線図である。
【図６】本発明の実施例２に係るディスプレイ装置の動作の説明に供するタイムチャートである。
【図７】図６の画素の動作の説明に供するタイムチャートである。
【図８】本発明の実施例３に係るディスプレイ装置を示すブロック図である。
【図９】図８の画素の動作の説明に供するタイムチャートである。
【図１０】本発明の実施例４に係るディスプレイ装置を示すブロック図である。
【図１１】ディスプレイ装置の構成を示すブロック図である。
【図１２】図１１のディスプレイ装置の画素回路を周辺構成と共に示す接続図である。
【図１３】有機ＥＬ素子の特性を示す特性曲線図である。
【図１４】有機ＥＬ素子の動作点の変化の説明に供する特性曲線図である。
【図１５】ソースフォロワ回路構成による画素回路を周辺構成と共に示す接続図である。
【図１６】図１５の画素回路の動作の説明に供するタイムチャートである。
【図１７】図１６のタイムチャートの説明に供する接続図である。
【符号の説明】
【００９０】
１、１１、３１、５１、６１、７１、８１……ディスプレイ装置、２、３２、５２、６２、７２、８２……画素部、３、３３、５３、６３、７３、８３……画素、４、３４、５４、６４、７４、８４……垂直駆動回路、４Ａ、３４Ａ、５４Ａ、６４Ａ、７４Ａ、８４Ａ……ライトスキャン回路、５、３５、５５、６５、７５、８５……水平駆動回路、１２……有機ＥＬ素子、３４Ｂ、３４Ｃ、５４Ｂ、５４Ｃ、６４Ｃ、７４Ｃ、８４Ｃ……ドライブスキャン回路、３４Ｄ、５４Ｄ、６４Ｄ、７４Ｄ、８４Ｄ……オートゼロ回路、Ｃ１、Ｃｓ１、Ｃｓ２……コンデンサ、ＴＲ１〜ＴＲ６……トランジスタ
【図１】
2005189382.tif 000003
【図２】
2005189382.tif 000004
【図３】
2005189382.tif 000005
【図４】
2005189382.tif 000006
【図５】
2005189382.tif 000007
【図６】
2005189382.tif 000008
【図７】
2005189382.tif 000009
【図８】
2005189382.tif 000010
【図９】
2005189382.tif 000011
【図１０】
2005189382.tif 000012
【図１１】
2005189382.tif 000013
【図１２】
2005189382.tif 000014
【図１３】
2005189382.tif 000015
【図１４】
2005189382.tif 000016
【図１５】
2005189382.tif 000017
【図１６】
2005189382.tif 000018
【図１７】
2005189382.tif 000019